(57)【要約】      （修正有）【課題】左右の下肢内側の筋肉に緊張感を強制的にもたせることが可能なゴルフ用スイング矯正部材を提供する。【解決手段】足９における各基節部９ｆから先の第一指〜第五指９ａ，９ｂ，９ｃ，９ｄ，９ｅまでがそれぞれ乗る第一指置き部２，第二指置き部３，第三指置き部４，第四指置き部５，第五指置き部６を有し、これらの第一指置き部〜第五指置き部２〜６は各基節部側の基部２ａ，３ａ，４ａ，５ａ，６ａよりも先部２ｂ，３ｂ，４ｂ，５ｂ，６ｂを各指が斜め上向きに乗る程度にそれぞれ高く形成してある。【選択図】図１
0003115864.tif 000002
【実用新案登録請求の範囲】
【請求項１】
足における各基節部から先の第一指〜第五指までがそれぞれ乗る第一指置き部，第二指置き部，第三指置き部，第四指置き部，第五指置き部を有し、これらの第一指置き部〜第五指置き部は各基節部側の基部よりも先部を各指が斜め上向きに乗る程度にそれぞれ高く形成してあることを特徴とするゴルフ用スイング矯正部材。
【請求項２】
圧縮率が約５０％程度の弾性部材製であることを特徴とする請求項１記載のゴルフ用スイング矯正部材。
【考案の詳細な説明】
【技術分野】
【０００１】
本考案はゴルフ用スイング矯正部材に関する。
【背景技術】
【０００２】
特許文献１に記載されているゴルフ用スイング矯正具がある。これの構成は、上腕を把持可能な把持部材と、該把持部材に接続され、長さ調節機構を有する弾性部材と、該弾性部材に接続され、スラックスやスカートのウエストバンド部等を挟持可能な挟持部材とを備え、前記把持部材と弾性部材とは、ワンタッチで接続・切離が可能な脱着機構によって接続されているものである。
そして、スイングの基本動作、特にバックスイングやフォロースルーにおいてひじを支点にして前腕を折り曲げていく動作を身に付けるのに有効なものとしている。
本考案者は、長年にわたる鋭意研究の結果、普通に足の指を地面につけたアドレスでは、左右の下肢内側における筋肉の緊張感が得にくく、そのためにダウンで左腰が引け、右サイドが被ってきよいショットをしずらいことを知見した。
しかしながら、自分の意識だけでは、足における各指の基節部に体重を乗せた状態をスイング中キープするのはなかなか困難である。
【特許文献１】特開平９−１３１４２４号公報
【考案の開示】
【考案が解決しようとする課題】
【０００３】
解決しようとする課題は、第１には、左右の下肢内側の筋肉に緊張感を強制的にもたせることが可能なゴルフ用スイング矯正部材を、第２には、さらに、多少でも足の指を使えて歩き易くなるゴルフ用スイング矯正部材を提供することにある。
【課題を解決するための手段】
【０００４】
本考案では前記した課題を達成するため、以下の構成にしたことを特徴とする。
１．足における各基節部から先の第一指〜第五指までがそれぞれ乗る第一指置き部，第二指置き部，第三指置き部，第四指置き部，第五指置き部を有し、これらの第一指置き部〜第五指置き部は各基節部側の基部よりも先部を各指が斜め上向きに乗る程度にそれぞれ高く形成してあることを特徴とする。
２．前記した１において、圧縮率が約５０％程度の弾性部材製であることを特徴とする。
【０００５】
本考案のスイング矯正部材は、足の第一指（親指）、第二指（人差し指）、第三指（中指）、第四指（薬指）、第五指（小指）までが乗る大きさのつま先サイズの態様のものでも、足の第一指〜第五指を含む足裏全体が乗る中敷状の態様のものでも、つま先部分に第一指置き部，第二指置き部，第三指置き部，第四指置き部，第五指置き部を有している靴下状の態様のものでも、靴内のつま先部分に第一指置き部，第二指置き部，第三指置き部，第四指置き部，第五指置き部を有している靴状の態様のものでもよい。基部よりも先部側を高くしてある第一〜第五指置き部は、斜め上向きに約１５〜２５度程度になるのがよく、１５度に満たない場合には指に体重を乗せやすくなるため不適であり、２５度を超える場合には非常に歩行しずらくなる。
かかる矯正部材は、発泡ゴム（スポンジ構造）等の公知の弾性部材製であっても、合成樹脂や木材等の公知の非弾性部材製であってもよい。弾性部材製である場合には、圧縮率が約５０％程度であるのが望ましく、この圧縮率が大きいと下肢内側の筋肉に緊張感をもたせることができにくくなり、圧縮率が小さいと歩きにくくなる。
また、矯正部材は、右足用と左足用の左右対称形状の一対のものになる。
【考案の効果】
【０００６】
Ａ．請求項１により、足の指を上げさせて足の基節部すなわち親指の付け根に体重が乗るようになるので、左右の下肢内側の筋肉に緊張感を強制的にもたせることができ、ダウンで左腰が引けにくくなり、右サイドが被らずに、よいショットをし易くなる。また、強制的に足の指を使いにくくするために、脹脛や腿などの筋肉を強化することができる。
Ｂ．請求項２により、さらに、多少でも足の指を使うことができるので、歩き易くなりプレーし易い。
【考案を実施するための最良の形態】
【０００７】
図１および図２には本考案のゴルフ用スイング矯正部材における実施の１形態として、つま先サイズを例示しており、スイング矯正具１は、圧縮率が約５０％程度である発泡ゴム製のつま先サイズからなる一体成形品で、足９における各基節部９ｆから先の第一指９ａ、第二指９ｂ、第三指９ｃ、第四指９ｄ、第五指９ｅまでがそれぞれ乗る第一指置き部２，第二指置き部３，第三指置き部４，第四指置き部５，第五指置き部６を有している。これらの第一指置き部〜第五指置き部２〜６は、基節部側の基部２ａ，３ａ，４ａ，５ａ，６ａよりも先部２ｂ，３ｂ，４ｂ，５ｂ，６ｂ側をそれぞれ高く形成してある。
第一〜第五指置き部２〜６は、それぞれ斜め上向きに約２０度程度の傾斜面になるように形成してあり、各指９ａ〜９ｅがそれぞれ斜め上向きに乗る程度に形成してある。
【０００８】
図３および図４には本考案のゴルフ用スイング矯正部材における実施の他の１形態として、靴に組み込んだ例を示してあり、靴７内のつま先部分７ａに前記した図１のスイング矯正具１を接着などして一体的に配設してある。このスイング矯正具１は靴底７ｂに一体に成型するようにしてもよい。
【０００９】
図５および図６には本考案のゴルフ用スイング矯正部材における実施の他の１形態として、中敷に組みつけてあり、中敷８のつま先部分８ａに前記した図１のスイング矯正具１を接着するなどして一体的に形成してある。かかるスイング矯正具１は中敷８の成型時に一体に成型するようにしてもよい。
【図面の簡単な説明】
【００１０】
【図１】本考案のゴルフ用スイング矯正部材における実施の１形態を例示している平面図。
【図２】縦断側面図。
【図３】本考案のゴルフ用スイング矯正部材における実施の他の１形態を例示している平面図。
【図４】縦断側面図。
【図５】本考案のゴルフ用スイング矯正部材における実施の他の１形態を例示している平面図。
【図６】縦断側面図。
【符号の説明】
【００１１】
１  スイング矯正具
２  第一指置き部
３  第二指置き部
４  第三指置き部
５  第四指置き部
６  第五指置き部
２ａ，３ａ，４ａ，５ａ，６ａ  基部
２ｂ，３ｂ，４ｂ，５ｂ，６ｂ  先部
７  靴
７ａ  つま先部分
７ｂ  靴底
８  中敷
８ａ  つま先部分
９  足
９ａ  第一指
９ｂ  第二指
９ｃ  第三指
９ｄ  第四指
９ｅ  第五指
９ｆ  各基節部
【図１】
0003115864.tif 000003
【図２】
0003115864.tif 000004
【図３】
0003115864.tif 000005
【図４】
0003115864.tif 000006
【図５】
0003115864.tif 000007
【図６】
0003115864.tif 000008